【手続補正書】
【提出日】平成26年12月26日(2014.12.26)
【手続補正１】
【補正対象書類名】特許請求の範囲
【補正対象項目名】全文
【補正方法】変更
【補正の内容】
【特許請求の範囲】
【請求項１】
第１特別図柄を変動させて行う第１図柄変動ゲーム、及び第２特別図柄を変動させて行う第２図柄変動ゲームが大当りとなるか否かを判定する大当り判定手段を備え、前記第１図柄変動ゲーム又は前記第２図柄変動ゲームにおいて予め定めた大当り表示結果が表示された場合には、遊技者に有利となる大当り遊技が生起される遊技機において、
遊技球の入球によって前記第１図柄変動ゲームの始動条件が得られる入球口と、
前記入球口とは別に設けられ、遊技球の入球によって前記第１図柄変動ゲームの始動条件が得られる第１入球口と、
前記第１入球口が開放状態と閉鎖状態を取り得るように動作する第１開閉手段と、
前記遊技球の入球によって前記第２図柄変動ゲームの始動条件が得られる第２入球口と、
前記第２入球口が開放状態と閉鎖状態を取り得るように動作する第２開閉手段と、
普通始動条件の成立により、普通図柄を変動させて表示する普通図柄変動ゲームが普通当りとなるか否かを判定する普通当り判定手段と、
遊技球が入球可能な普通入球口と、
前記普通図柄変動ゲームにおいて予め定めた普通当り表示結果が表示された場合に該普通入球口が開放状態と閉鎖状態を取り得るように動作する普通開閉手段と、
前記普通入球口から入球した遊技球が通過可能な第１作動契機領域、並びに第２作動契機領域と、
報知手段に報知を行わせる制御を行う報知制御手段と、を備え、
前記第２作動契機領域よりも前記第１作動契機領域を遊技球が通過し易い第１状態と、前記第１作動契機領域よりも前記第２作動契機領域を遊技球が通過し易い第２状態と、があり、
前記第１開閉手段は、前記第１作動契機領域を遊技球が通過したことを条件として、機械的に開放状態を取り得るように動作し、
前記第２開閉手段は、前記第２作動契機領域を遊技球が通過したことを条件として、機械的に開放状態を取り得るように動作し、
前記報知制御手段は、前記第１状態のときに前記第２入球口へ所定個数の遊技球が入球したこと、又は前記第２状態のときに前記第１入球口へ所定個数の遊技球が入球したことを条件として、特定の報知を前記報知手段に行わせる制御を行う遊技機。
【請求項２】
前記第１開閉手段は、前記第１作動契機領域を遊技球が通過してから予め定められた第１上限個数を上限として前記第１入球口に遊技球が入球すると機械的に閉鎖状態に動作し、
前記第２開閉手段は、前記第２作動契機領域を遊技球が通過してから予め定められた第２上限個数を上限として前記第２入球口に遊技球が入球すると機械的に閉鎖状態に動作し、
前記報知制御手段は、前記第１状態のときに前記第２入球口へ前記第２上限個数を越えて遊技球が入球したこと、又は前記第２状態のときに前記第１入球口へ前記第１上限個数を越えて遊技球が入球したことを条件として、特定の報知を前記報知手段に行わせる制御を行う請求項１に記載の遊技機。
【手続補正２】
【補正対象書類名】明細書
【補正対象項目名】０００５
【補正方法】変更
【補正の内容】
【０００５】
しかしながら、このような遊技機において、例えば、始動入賞口の開閉部材が開放状態となっても、それ以前から同じように始動入賞口に遊技球が入賞するか否かに注目している傾向があり、遊技が単調となってしまうおそれがある。
【手続補正３】
【補正対象書類名】明細書
【補正対象項目名】０００６
【補正方法】変更
【補正の内容】
【０００６】
このため、各種役物を追加することで斬新な遊技性を提供することが考えられるが、消費電流や発熱が増大してしまうおそれがあった。また、消費電流や発熱を抑制するためにも非電動役物を採用することも考えられるが、電動役物よりも不正行為を施されるおそれがあり、非電動役物に関するセキュリティを向上させることが望まれている。
【手続補正４】
【補正対象書類名】明細書
【補正対象項目名】０００７
【補正方法】変更
【補正の内容】
【０００７】
この発明は、このような従来の技術に存在する問題点に着目してなされたものであり、その目的は、機械的に開放状態を取り得る開閉手段を有する場合において、セキュリティを向上し得る遊技機を提供することにある。
【手続補正５】
【補正対象書類名】明細書
【補正対象項目名】０００８
【補正方法】変更
【補正の内容】
【０００８】
上記問題点を解決する遊技機は、第１特別図柄を変動させて行う第１図柄変動ゲーム、及び第２特別図柄を変動させて行う第２図柄変動ゲームが大当りとなるか否かを判定する大当り判定手段を備え、前記第１図柄変動ゲーム又は前記第２図柄変動ゲームにおいて予め定めた大当り表示結果が表示された場合には、遊技者に有利となる大当り遊技が生起される遊技機において、遊技球の入球によって前記第１図柄変動ゲームの始動条件が得られる入球口と、前記入球口とは別に設けられ、遊技球の入球によって前記第１図柄変動ゲームの始動条件が得られる第１入球口と、前記第１入球口が開放状態と閉鎖状態を取り得るように動作する第１開閉手段と、前記遊技球の入球によって前記第２図柄変動ゲームの始動条件が得られる第２入球口と、前記第２入球口が開放状態と閉鎖状態を取り得るように動作する第２開閉手段と、普通始動条件の成立により、普通図柄を変動させて表示する普通図柄変動ゲームが普通当りとなるか否かを判定する普通当り判定手段と、遊技球が入球可能な普通入球口と、前記普通図柄変動ゲームにおいて予め定めた普通当り表示結果が表示された場合に該普通入球口が開放状態と閉鎖状態を取り得るように動作する普通開閉手段と、前記普通入球口から入球した遊技球が通過可能な第１作動契機領域、並びに第２作動契機領域と、報知手段に報知を行わせる制御を行う報知制御手段と、を備え、前記第２作動契機領域よりも前記第１作動契機領域を遊技球が通過し易い第１状態と、前記第１作動契機領域よりも前記第２作動契機領域を遊技球が通過し易い第２状態と、があり、前記第１開閉手段は、前記第１作動契機領域を遊技球が通過したことを条件として、機械的に開放状態を取り得るように動作し、前記第２開閉手段は、前記第２作動契機領域を遊技球が通過したことを条件として、機械的に開放状態を取り得るように動作し、前記報知制御手段は、前記第１状態のときに前記第２入球口へ所定個数の遊技球が入球したこと、又は前記第２状態のときに前記第１入球口へ所定個数の遊技球が入球したことを条件として、特定の報知を前記報知手段に行わせる制御を行うことを要旨とする。
【手続補正６】
【補正対象書類名】明細書
【補正対象項目名】０００９
【補正方法】変更
【補正の内容】
【０００９】
上記遊技機において、前記第１開閉手段は、前記第１作動契機領域を遊技球が通過してから予め定められた第１上限個数を上限として前記第１入球口に遊技球が入球すると機械的に閉鎖状態に動作し、前記第２開閉手段は、前記第２作動契機領域を遊技球が通過してから予め定められた第２上限個数を上限として前記第２入球口に遊技球が入球すると機械的に閉鎖状態に動作し、前記報知制御手段は、前記第１状態のときに前記第２入球口へ前記第２上限個数を越えて遊技球が入球したこと、又は前記第２状態のときに前記第１入球口へ前記第１上限個数を越えて遊技球が入球したことを条件として、特定の報知を前記報知手段に行わせる制御を行うようにしてもよい。
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】変更
【補正の内容】
【００１１】
本発明によれば、機械的に開放状態を取り得る開閉手段を有する場合において、セキュリティを向上させることができる。
【手続補正９】
【補正対象書類名】明細書
【補正対象項目名】０１４３
【補正方法】変更
【補正の内容】
【０１４３】
このように、演出制御用ＣＰＵ３１ａは、普通電動入賞口１５に遊技球が入賞してから各非電動始動入賞口２１，２２に入賞した遊技球が予め定められた上限個数よりも大きい規定個数に至ったことを条件として、第１、第２エラー情報に基づくエラー画像を表示させて特別の報知を行わせる制御を行う。特に、演出制御用ＣＰＵ３１ａは、第１変短状態において普通電動入賞口１５に遊技球が入賞してから第１非電動始動入賞口２１に入賞した遊技球が第１上限個数よりも大きい第１規定個数に至ったことを条件として、特別の報知を行わせる制御を行う。その一方で、演出制御用ＣＰＵ３１ａは、第２変短状態において普通電動入賞口１５に遊技球が入賞してから第２非電動始動入賞口２２に入賞した遊技球が第２上限個数よりも大きい第２規定個数に至ったことを条件として、特別の報知を行わせる制御を行う。
【手続補正１０】
【補正対象書類名】明細書
【補正対象項目名】０１４４
【補正方法】変更
【補正の内容】
【０１４４】
また、演出制御用ＣＰＵ３１ａは、第１変短状態において、振分シャッタ４１により普通電動入賞口１５に入賞した遊技球が第１作動契機領域１５ｂを通過する第１状態に制御されているが、第２非電動始動入賞口２２に上限個数を越えて遊技球が入賞したときには、第４エラー情報に基づくエラー画像を表示させて特定の報知を行わせる。また、同じように、演出制御用ＣＰＵ３１ａは、振分シャッタ４１により普通電動入賞口１５に入賞した遊技球が第２作動契機領域１５ｃを通過する第２状態に制御されているが、第１非電動始動入賞口２１に上限個数を越えて遊技球が入賞したときには、第３エラー情報に基づくエラー画像を表示させて特定の報知を行わせる。
【手続補正１１】
【補正対象書類名】明細書
【補正対象項目名】０１８７
【補正方法】変更
【補正の内容】
【０１８７】
・上記実施形態において、遊技球の通過や入賞を検知するセンサとしては、フォトセンサを用いても、磁界センサであってもよく、これら以外であってもよい。